(57)【要約】本開示のいくつかの態様は、例えば、ＵＥの状態（例えば、アイドル状態、非アクティブ状態、および接続状態）を区別する規則を適用してアクセス制御を行うようにユーザ機器（ＵＥ）を構成するための方法および装置に関する。【選択図】図８
2020519135.tif 000002
【特許請求の範囲】
【請求項１】
ユーザ機器（ＵＥ）によってアクセス制御を行うための方法であって、
アクセス規制パラメータを取得することと、ここにおいて、前記アクセス規制パラメータは、前記ＵＥがアクセス規制チェックを行うことを別々の状態において適用するために、アクセスカテゴリごとに別々のアクセス試行要因を含む、
アクセスカテゴリへのアクセス試行のマッピングに基づくとともに、前記ＵＥの現在の状態のための前記アクセス試行要因に依存して、アクセス規制チェックを行うことと
を備える、方法。
【請求項２】
前記アクセス規制パラメータは、
前記ＵＥがアイドルモードまたは非アクティブモードから接続モードに遷移するときに適用するための、アクセスカテゴリへのアクセス試行の第１のマッピングと、
前記ＵＥが前記接続モードにあるときに適用するための、アクセスカテゴリへの前記アクセス試行の第２のマッピングと
を提供する、請求項１に記載の方法。
【請求項３】
前記第１のマッピングはアプリケーションタイプに基づく、請求項２に記載の方法。
【請求項４】
前記第２のマッピングは、ベアラＩＤ、サービス品質（ＱｏＳ）フローＩＤ（ＱＦＩ）、またはＱｏＳインジケータのうちの少なくとも１つに基づく、請求項２に記載の方法。
【請求項５】
新しいベアラおよび／またはＱｏＳフローが追加されたときに、並びに／あるいは前記アクセス規制パラメータが更新されたときに、ＱｏＳフローおよび／またはベアラごとに前記アクセスカテゴリを導出することをさらに備える、請求項４に記載の方法。
【請求項６】
前記第２のマッピングは、シグナリングトラフィックの場合、別々のＲＲＣ手順またはＮＡＳ手順に対する別々の優先度に基づく、請求項２に記載の方法。
【請求項７】
前記ＵＥは、前記接続モードにある間に前記第１のマッピングのための構成を取得する、請求項２に記載の方法。
【請求項８】
前記ＵＥは、
指定された持続時間、
前記ＵＥが再構成されるまで、または
前記ＵＥが新しいセルへ移動するまで
のうちの少なくとも１つで前記構成を維持する、請求項７に記載の方法。
【請求項９】
前記アクセス規制パラメータの少なくとも第１の部分がブロードキャストシグナリングを介して取得される、請求項１に記載の方法。
【請求項１０】
前記アクセス規制パラメータの少なくとも第２の部分が専用シグナリングを介して取得される、請求項９に記載の方法。
【請求項１１】
前記アクセス規制パラメータはカテゴリごとの規制情報を備える、請求項１に記載の方法。
【請求項１２】
専用シグナリングを介して通知されたアクセス規制パラメータに対するブロードキャストされたアクセス規制パラメータの優先度の指示を受信することをさらに備える、請求項１に記載の方法。
【請求項１３】
前記アクセス規制パラメータは１つまたは複数のメッセージ内で通知される、請求項１に記載の方法。
【請求項１４】
前記メッセージのうちの１つが、前記ブロードキャストされたアクセスパラメータの一部を有し、存在追加パラメータを示す、請求項１３に記載の方法。
【請求項１５】
ネットワークエンティティによってアクセス制御を行うための方法であって、
少なくとも１つのユーザ機器（ＵＥ）がアクセス規制チェックを行うことを別々の状態において適用するための、アクセスカテゴリごとに別々のアクセス試行要因を含むアクセス規制パラメータを決定することと、
前記アクセス規制パラメータを前記ＵＥに通知することと
を備える、方法。
【請求項１６】
前記アクセス規制パラメータは、
前記ＵＥがアイドルモードまたは非アクティブモードから接続モードに遷移するときに適用するための、アクセスカテゴリへのアクセス試行の第１のマッピングと、
前記ＵＥが接続モードにあるときに適用するための、アクセスカテゴリへの前記アクセス試行の第２のマッピングと
を提供する、請求項１５に記載の方法。
【請求項１７】
前記第１のマッピングはアプリケーションタイプに基づく、請求項１６に記載の方法。
【請求項１８】
前記第２のマッピングは、ベアラＩＤ、サービス品質（ＱｏＳ）フローＩＤ（ＱＦＩ）、またはＱｏＳインジケータのうちの少なくとも１つに基づく、請求項１６に記載の方法。
【請求項１９】
前記第２のマッピングは、シグナリングトラフィックの場合、別々のＲＲＣ手順またはＮＡＳ手順に対する別々の優先度に基づく、請求項１６に記載の方法。
【請求項２０】
前記ネットワークエンティティは、前記ＵＥが前記接続モードにある間に前記第１のマッピングのための構成を通知する、請求項１６に記載の方法。
【請求項２１】
前記ＵＥは、
指定された持続時間、
前記ＵＥが再構成されるまで、または
前記ＵＥが新しいセルへ移動するまで
のうちの少なくとも１つで前記構成を維持するように構成される、請求項２０に記載の方法。
【請求項２２】
前記アクセス規制パラメータの少なくとも第１の部分がブロードキャストシグナリングを介して通知される、請求項１５に記載の方法。
【請求項２３】
前記アクセス規制パラメータの少なくとも第２の部分が専用シグナリングを介して通知される、請求項２２に記載の方法。
【請求項２４】
前記アクセス規制パラメータはカテゴリごとの規制情報を備える、請求項１５に記載の方法。
【請求項２５】
専用シグナリングを介して通知されたアクセス規制パラメータに対するブロードキャストされたアクセス規制パラメータの優先度の指示を提供することをさらに備える、請求項１５に記載の方法。
【請求項２６】
前記アクセス規制パラメータは１つまたは複数のメッセージ内で通知される、請求項１５に記載の方法。
【請求項２７】
前記メッセージのうちの１つが、前記ブロードキャストされたアクセスパラメータの一部を有し、存在追加パラメータを示す、請求項２６に記載の方法。
【請求項２８】
ユーザ機器（ＵＥ）によってアクセス制御を行うための装置であって、
アクセス規制パラメータを取得するための手段と、ここにおいて、前記アクセス規制パラメータが、前記ＵＥがアクセス規制チェックを行うことを別々の状態において適用するために、アクセスカテゴリごとに別々のアクセス試行要因を含む、
アクセスカテゴリへのアクセス試行のマッピングに基づくとともに、前記ＵＥの現在の状態のための前記アクセス試行要因に依存して、アクセス規制チェックを行うための手段と
を備える、装置。
【請求項２９】
ネットワークエンティティによってアクセス制御を行うための装置であって、
少なくとも１つのユーザ機器（ＵＥ）がアクセス規制チェックを行うことを別々の状態において適用するための、アクセスカテゴリごとに別々のアクセス試行要因を含むアクセス規制パラメータを決定するための手段と、
前記アクセス規制パラメータを前記ＵＥに通知するための手段と
を備える、装置。
【発明の詳細な説明】
【関連出願の相互参照】
【０００１】
[0001]  本出願は、２０１７年５月６日に出願された米国仮特許出願第６２／５０２，６６１号の利益を主張する、２０１８年３月３日に出願された米国特許出願第１５／９７０，７１２号の優先権を主張するもので、両方が本出願の譲受人に譲渡され、参照により本明細書に明確に組み込まれる。
【技術分野】
【０００２】
[0002]  本開示は、一般に通信システムに関し、より詳細には、接続先(connection)にアクセスすることを別々の状態(different states)（例えば、アイドル状態、非アクティブ状態、および接続状態）において試みるときのアクセス制御を行うユーザ機器（ＵＥ：user equipment）を構成するための方法および装置に関する。
【背景技術】
【０００３】
[0003]  ワイヤレス通信システムは、電話、ビデオ、データ、メッセージング、およびブロードキャストなどの様々な電気通信サービス(various telecommunication services)を提供するために広く展開されている。典型的なワイヤレス通信システムは、利用可能なシステムリソース（例えば、帯域幅、送信電力）を共有することにより、複数のユーザとの通信をサポートすることが可能な多元接続技術を採用し得る。このような多元接続技術の例には、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]  いくつかの例では、ワイヤレス多元接続通信システムが、他にはユーザ機器（ＵＥ）として知られる複数の通信デバイス向けの通信を各々同時にサポートするいくつかの基地局を含み得る。ＬＴＥネットワークまたはＬＴＥ−Ａネットワークでは、１つまたは複数の基地局のセットがｅノードＢ（ｅＮＢ）を定義し得る。他の例では（例えば、次世代ネットワークまたは５Ｇネットワークでは）、ワイヤレス多元接続通信システムが、いくつかの集約ユニット（ＣＵ：central unit）（例えば、集約ノード（ＣＮ）、アクセスノードコントローラ（ＡＮＣ：access node controller）など）と通信しているいくつかの分散ユニット（ＤＵ：distributed unit）（例えば、エッジユニット（ＥＵ：edge unit）、エッジノード（ＥＮ：edge node）、無線ヘッド（ＲＨ：radio head）、スマート無線ヘッド（ＳＲＨ：smart radio head）、送受信点（ＴＲＰ：transmission reception point）など）を含み得るもので、集約ユニットと通信している１つまたは複数の分散ユニットのセットは、アクセスノード（例えば、新無線基地局（ＮＲ  ＢＳ）、新無線ノードＢ（ＮＲ  ＮＢ：new radio base station）、ネットワークノード、５Ｇ  ＮＢ、ｅＮＢ、次世代ノードＢ（ｇＮＢ）など）を定義し得る。基地局またはＤＵは、（例えば、基地局からまたはＵＥへの送信のための）ダウンリンクチャネルおよび（例えば、ＵＥから基地局または分散ユニットへの送信のための）アップリンクチャネル上でＵＥのセットと通信し得る。
【０００５】
[0005]  これら多元接続技術は、様々な電気通信規格において採用され、別々のワイヤレスデバイスが都市、国家、地域、さらには地球規模で通信することを可能にする共通プロトコルを提供する。新興の通信規格の一例は、新無線（ＮＲ）、例えば、５Ｇ無線アクセスである。ＮＲは、第３世代パートナーシッププロジェクト（３ＧＰＰ（登録商標））によって公布されたＬＴＥモバイル規格に対する拡張のセットである。それは、スペクトル効率を改善すること、コストを下げること、サービスを改善すること、新しいスペクトルを利用すること、並びにダウンリンク（ＤＬ：downlink）上およびアップリンク（ＵＬ：uplink）上でサイクリックプレフィックス（ＣＰ：cyclic prefix）を有するＯＦＤＭＡを使用する他のオープン規格とより良く統合することにより、モバイルブロードバンドインターネットアクセスをより良くサポートし、ビームフォーミング、多入力多出力（ＭＩＭＯ）アンテナ技術、およびキャリアアグリゲーションもサポートするように設計されている。
【０００６】
[0006]  しかしながら、モバイルブロードバンドアクセスに対する需要が増加し続けるにつれて、ＮＲ技術のさらなる改善を求める要望が存在する。好ましくは、これら改善が、他の多元接続技術、およびこれら技術を採用する電気通信規格に適用可能であるべきである。
【発明の概要】
【０００７】
[0007]  本開示のシステム、方法、およびデバイスは、各々いくつかの態様を有し、これら態様のうちの単一の態様が単独で本開示の望ましい属性を担うことはない。本開示の適用範囲を後続の特許請求の範囲によって表現されるように限定することなく、いくつかの特徴がここで簡潔に論じられる。この議論を検討した後、特に「詳細な説明」と題するセクションを読んだ後に、ワイヤレスネットワークにおけるアクセスポイントと局との間の改善された通信を含む利点を本開示の特徴がどのように提供するかを理解することになる。
【０００８】
[0008]  いくつかの態様は、ユーザ機器（ＵＥ）によるワイヤレス通信のための方法を提供する。この方法は、概して、アクセス規制パラメータを取得することであって、ここにおいて、このアクセス規制パラメータは、ＵＥがアクセス規制チェックを行うことを別々の状態において適用するために、アクセスカテゴリごとに別々のアクセス試行要因を含むものである、取得することと、複数のアクセスカテゴリへのアクセス試行のマッピングに基づくとともに、ＵＥの現在の状態のためのアクセス試行要因に依存して、アクセス規制チェックを行うこととを含む。
【０００９】
[0009]  いくつかの態様は、基地局（ＢＳ：base station）によるワイヤレス通信のための方法を提供する。この方法は、概して、少なくとも１つのユーザ機器（ＵＥ）がアクセス規制チェックを行うことを別々の状態において適用するためのもので、アクセスカテゴリごとに別々のアクセス試行要因を含むアクセス規制パラメータを決定することと、アクセス規制パラメータをＵＥに通知することとを含む。
【００１０】
[0010]  態様は、概して、添付の図面を参照して本明細書に概ね説明され、添付の図面によって示されるような、方法、装置、システム、コンピュータ可読媒体、および処理システムを含む。
【００１１】
[0011]  上述の関連目的を達成するために、１つまたは複数の態様は、以下で十分に説明され、特に特許請求の範囲において指し示された複数の特徴を備える。以下の説明および添付の図面は、１つまたは複数の態様のいくつかの例示的な特徴を詳細に明らかにする。しかしながら、これら特徴は、様々な態様の原理が採用され得る様々な方式を示すものの、いくつかのこれら方式であって、この説明は、全てのそうした態様およびそれらの均等物を含むことを意図する。
【００１２】
[0012]  本開示の上述された複数の特徴が詳細に理解できるように、上で簡潔に要約されたことのより具体的な説明が、添付の図面にいくつか示される態様への参照で得られることがある。しかしながら、添付の図面は、本開示の特定の典型的な態様を示すにすぎず、説明が他の同様に有効な態様を許容し得るので、本開示の適用範囲を限定していると見なされないことに留意されたい。
【図面の簡単な説明】
【００１３】
【図１】本開示の態様が行われ得る例示的な電気通信システムを概念的に示すブロック図。
【図２】本開示のいくつかの態様による、分散ＲＡＮの例示的な論理アーキテクチャを示すブロック図。
【図３】本開示のいくつかの態様による、分散ＲＡＮの例示的な物理アーキテクチャを示す図。
【図４】本開示のいくつかの態様による、例示的なＢＳおよびユーザ機器（ＵＥ）の設計を概念的に示すブロック図。
【図５】本開示のいくつかの態様による、通信プロトコルスタックを実施するための例を示す図。
【図６】本開示のいくつかの態様による、ＤＬ中心サブフレームの一例を示す図。
【図７】本開示のいくつかの態様による、ＵＬ中心サブフレームの一例を示す図。
【図８】本開示の態様による、ユーザ機器（ＵＥ）によるワイヤレス通信のための例示的な動作を示す図。
【図９】本開示の態様による、基地局（ＢＳ）によるワイヤレス通信のための例示的な動作を示す図。
【詳細な説明】
【００１４】
[0022]  理解を容易にするために、可能な場合に、図に共通する同一の要素を指定するために同一の参照番号が使用されている。一態様において開示される要素が、具体的な記載なしに他の態様に対して有益に利用され得ると考えられる。
【００１５】
[0023]  本開示の態様は、新無線（ＮＲ）（新無線アクセス技術または５Ｇ技術）のための装置、方法、処理システム、およびコンピュータ可読媒体を提供する。
【００１６】
[0024]  ＮＲは、拡張モバイルブロードバンド（ｅＭＢＢ）ターゲッティング広帯域幅（例えば、８０ＭＨｚ超）、ミリメートル波（ｍｍＷ）ターゲッティング高キャリア周波数（例えば、６０ＧＨｚ）、マッシブＭＴＣ（ｍＭＴＣ）ターゲッティング非後方互換ＭＴＣ技法、および／またはミッションクリティカルターゲッティング超高信頼低遅延通信（ＵＲＬＬＣ：ultra-reliable low latency communications）などの、様々なワイヤレス通信サービスをサポートし得る。これらサービスは、待ち時間および信頼性の要件を含み得る。これらサービスはまた、それぞれのサービス品質（ＱｏＳ）要件を満たす別々の送信時間間隔（ＴＴＩ：transmission time interval）を有し得る。さらに、これらサービスは同じサブフレーム内に共存し得る。
【００１７】
[0025]  以下の説明は例を与えるものであって、特許請求の範囲に記載される適用範囲、適用可能性、または例を限定するものではない。本開示の適用範囲から逸脱することなく、説明される要素の機能および構成において変更が行われ得る。様々な例は、必要に応じて、様々な手順または構成要素を省略、置換、または追加し得る。例えば、記載される方法は、記載される順序とは異なる順序で行われ得るもので、様々なステップが追加、省略、または組み合わされ得る。また、いくつかの例に関して記載される特徴は、いくつかの他の例において組み合わされ得る。例えば、本明細書に記載された任意の数の態様を使用して、装置が実施され得るか、または方法が実践され得る。さらに、本開示の適用範囲は、本明細書に記載された開示の様々な態様に加えて、またはそれらの態様以外の他の構造、機能、または構造および機能を使用して実践される装置または方法を包含するものである。本明細書に開示される開示の任意の態様は、また請求項の１つまたは複数の要素によって具現化され得ることを理解されたい。「例示的」という単語は、「例、事例、または例示として機能すること」を意味するように本明細書で使用される。「例示的」として本明細書に記載された任意の態様は、必ずしも他の態様よりも好ましいまたは有利であると解釈されるべきでない。
【００１８】
[0026]  本明細書に記載された技法は、ＬＴＥ、ＣＤＭＡ、ＴＤＭＡ、ＦＤＭＡ、ＯＦＤＭＡ、ＳＣ−ＦＤＭＡ、および他のネットワークなどの様々なワイヤレス通信ネットワークに使用され得る。「ネットワーク」および「システム」という用語は、しばしば同義で使用される。ＣＤＭＡネットワークは、ユニバーサル地上波無線アクセス（ＵＴＲＡ）、ｃｄｍａ２０００などの無線技術を実施し得る。ＵＴＲＡは、広帯域ＣＤＭＡ（ＷＣＤＭＡ（登録商標））とＣＤＭＡの他の変形形態とを含む。ｃｄｍａ２０００は、ＩＳ−２０００規格と、ＩＳ−９５規格と、ＩＳ−８５６規格とを包含する。ＴＤＭＡネットワークは、モバイル通信用グローバルシステム（ＧＳＭ（登録商標））などの無線技術を実施し得る。ＯＦＤＭＡネットワークは、ＮＲ（例えば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実施し得る。ＵＴＲＡおよびＥ−ＵＴＲＡは、ユニバーサルモバイルテレコミュニケーションズシステム（ＵＭＴＳ）の一部である。ＮＲは、５Ｇ技術フォーラム（５ＧＴＦ）と連携して開発中の新興のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。「ＬＴＥ」は、概して、ＬＴＥ、ＬＴＥアドバンスト（ＬＴＥ−Ａ）、無認可スペクトル内のＬＴＥ（ＬＴＥホワイトスペース）などを指す。本明細書に記載された技法は、上述されたワイヤレスネットワークおよび無線技術、並びに他のワイヤレスネットワークおよび無線技術に使用され得る。明確さのために、態様が３Ｇおよび／または４Ｇのワイヤレス技術に通常関連する用語を使用して説明され得る一方で、本開示の態様は、ＮＲ技術を含む、５Ｇ以後などの他の世代ベースの通信システムにおいて適用され得る。
【００１９】
例示的なワイヤレス通信システム
[0027]  図１は、本開示の態様が行われ得る、新無線（ＮＲ）ネットワークまたは５Ｇネットワークなどの、例示的なワイヤレスネットワーク１００を示す。
【００２０】
[0028]  図１に示されたように、ワイヤレスネットワーク１００は、いくつかのＢＳ１１０と他のネットワークエンティティとを含み得る。ＢＳはＵＥと通信する局であり得る。各ＢＳ１１０は、特定の地理的エリアに通信カバレージを提供し得る。３ＧＰＰにおいて、「セル」という用語は、用語が使用される文脈に依存して、ノードＢのカバレージエリアおよび／またはこのカバレージエリアをサービスしているノードＢサブシステムを指すことができる。ＮＲシステムにおいて、「セル」という用語、並びにｅＮＢ、ノードＢ、５Ｇ  ＮＢ、ＡＰ、ＮＲ  ＢＳ、ＮＲ  ＢＳ、ｇＮＢ、またはＴＲＰは同義であり得る。いくつかの例では、セルが必ずしも固定されていなくてよく、このセルの地理的エリアはモバイル基地局の位置に応じて移動し得る。いくつかの例において、基地局は、任意の適切なトランスポートネットワークを使用して、直接物理接続、仮想ネットワークなどの様々なタイプのバックホールインターフェースを介して、ワイヤレスネットワーク１００の中で、互いに、および／または１つもしくは複数の他の基地局もしくはネットワークノード（図示せず）と相互接続され得る。
【００２１】
[0029]  一般に、任意の数のワイヤレスネットワークが所与の地理的エリア内に展開され得る。各ワイヤレスネットワークは、特定の無線アクセス技術（ＲＡＴ：radio access technology）をサポートし得るもので、１つまたは複数の周波数上で動作し得る。ＲＡＴは、無線技術、エアインターフェースなどと呼ばれる場合もある。周波数は、キャリア、周波数チャネルなどと呼ばれる場合もある。各周波数は、異なるＲＡＴのワイヤレスネットワーク(wireless networks of different RATs)間での干渉を回避するために、所与の地理的エリア内で単一のＲＡＴをサポートし得る。場合によっては、ＮＲまたは５ＧのＲＡＴが展開され得る。
【００２２】
[0030]  ＢＳは、マクロセル、ピコセル、フェムトセル、および／または他のタイプのセルに通信カバレージを提供し得る。マクロセルは、比較的大きい地理的エリア（例えば、半径数キロメートル）をカバーし得るもので、サービスに加入しているＵＥによる無制限アクセスを可能にし得る。ピコセルは、比較的小さい地理的エリアをカバーし得るもので、サービスに加入しているＵＥによる無制限アクセスを可能にし得る。フェムトセルは、比較的小さい地理的エリア（例えば、自宅）をカバーし得るもので、フェムトセルとの関連付けを有するＵＥ（例えば、限定加入者グループ（ＣＳＧ：Closed Subscriber Group）内のＵＥ、自宅内のユーザ用のＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳはフェムトＢＳまたはホームＢＳと呼ばれることがある。図１に示された例において、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳは、１つまたは複数（例えば、３つ）のセルをサポートし得る。
【００２３】
[0031]  ワイヤレスネットワーク１００はまた、中継局を含み得る。中継局は、上流局（例えば、ＢＳまたはＵＥ）からデータおよび／または他の情報の送信を受信し、このデータおよび／または他の情報の送信を下流局（例えば、ＵＥまたはＢＳ）に送る局である。中継局はまた、他のＵＥ向けの送信を中継するＵＥであり得る。図１に示された例では、中継局１１０ｒが、ＢＳ１１０ａとＵＥ１２０ｒとの間の通信を容易にするために、ＢＳ１１０ａおよびＵＥ１２０ｒと通信し得る。中継局は、リレーＢＳ、リレーなどと呼ばれることもある。
【００２４】
[0032]  ワイヤレスネットワーク１００は、異なるタイプのＢＳ、例えば、マクロＢＳ、ピコＢＳ、フェムトＢＳ、リレーなどを含む異種ネットワークであり得る。これら異なるタイプのＢＳは、異なる送信電力レベル、異なるカバレージエリア、およびワイヤレスネットワーク１００内の干渉に対する異なる影響を有することがある。例えば、マクロＢＳは、高い送信電力レベル（例えば、２０ワット）を有することがあるが、ピコＢＳ、フェムトＢＳ、およびリレーは、より低い送信電力レベル（例えば、１ワット）を有することがある。
【００２５】
[0033]  ワイヤレスネットワーク１００は、同期動作または非同期動作をサポートし得る。同期動作の場合、ＢＳは同様のフレームタイミングを有することができ、異なるＢＳからの送信は時間的にほぼ整合され得る。非同期動作の場合、ＢＳは異なるフレームタイミングを有することができ、異なるＢＳからの送信は時間的に整合されないことがある。本明細書に記載された技法は、同期動作と非同期動作の両方に使用され得る。
【００２６】
[0034]  ネットワークコントローラ１３０は、複数のＢＳのセットに結合され、これらＢＳのための調整および制御を提供し得る。ネットワークコントローラ１３０は、バックホールを介してＢＳ１１０と通信し得る。ＢＳ１１０はまた、例えば、ワイヤレスバックホールまたは有線バックホールを介して直接的または間接的に互いに通信し得る。
【００２７】
[0035]  ＵＥ１２０（例えば、１２０ｘ、１２０ｙなど）は、ワイヤレス通信システム１００全体にわたって分散され得るもので、各ＵＥは固定またはモバイルであり得る。ＵＥは、移動局、端末、アクセス端末、加入者ユニット、局、顧客構内設備（ＣＰＥ：Customer Premises Equipment）、携帯電話、スマートフォン、携帯情報端末（ＰＤＡ：personal digital assistant）、ワイヤレスモデム、ワイヤレス通信デバイス、ハンドヘルドデバイス、ラップトップコンピュータ、コードレスフォン、ワイヤレスローカルループ（ＷＬＬ：wireless local loop）局、タブレット、カメラ、ゲーミングデバイス、ネットブック、スマートブック、ウルトラブック、医療デバイスもしくは医療機器、ヘルスケアデバイス、生体認証センサ／デバイス、スマートウォッチ、スマート衣料、スマートグラス、仮想現実ゴーグル、スマートリストバンド、スマートジュエリ（例えば、スマートリング、スマートブレスレットなど）などのウェアラブルデバイス、エンターテインメントデバイス（例えば、音楽デバイス、ビデオデバイス、衛星ラジオなど）、車両コンポーネントもしくはセンサ、スマートメータ／センサ、ロボット、ドローン、工業生産機器、測位デバイス（例えば、ＧＰＳ、Ｂｅｉｄｏｕ、地上波）、または、ワイヤレスもしくは有線の媒体を介して通信するように構成された任意の他の適切なデバイスを指す場合もある。いくつかのＵＥは、基地局、別のリモートデバイス、または何らかの他のエンティティと通信できるリモートデバイスを含んでよい、マシンタイプ通信（ＭＴＣ：machine-type communication）デバイスまたは発展型ＭＴＣ（ｅＭＴＣ）デバイスと見なされ得る。マシンタイプ通信（ＭＴＣ）は、通信の少なくとも１つの終端上の少なくとも１つのリモートデバイスを伴う通信を指すことができ、必ずしも人間との対話を必要としない１つまたは複数のエンティティを伴うデータ通信の形態を含み得る。ＭＴＣ  ＵＥは、例えば、公的地域モバイルネットワーク（ＰＬＭＮ）を介した、ＭＴＣサーバおよび／または他のＭＴＣデバイスとのＭＴＣ通信が可能であるＵＥを含み得る。ＭＴＣ  ＵＥおよびｅＭＴＣ  ＵＥには、例えば、ＢＳ、別のデバイス（例えば、リモートデバイス）、または何らかの他のエンティティと通信できる、ロボット、ドローン、リモートデバイス、センサ、メータ、モニタ、カメラ、ロケーションタグなどが含まれる。ワイヤレスノードは、例えば、有線またはワイヤレスの通信リンクを介した、ネットワーク（例えば、インターネットまたはセルラーネットワークなどのワイドエリアネットワーク）のための、またはネットワークへの接続性を提供し得る。ＭＴＣ  ＵＥ、並びに他のＵＥは、モノのインターネット（ＩｏＴ：Internet-of-Things）デバイス、例えば、狭帯域ＩｏＴ（ＮＢ−ＩｏＴ：narrowband IoT）デバイスとして実施され得る。
【００２８】
[0036]  図１では、両矢印付きの実線が、ＵＥと、ダウンリンクおよび／またはアップリンク上で、このＵＥをサービスするように指定されたＢＳであるサービングＢＳとの間の所望の送信を示す。両矢印付きの破線は、ＵＥとＢＳとの間の干渉送信を示す。
【００２９】
[0037]  ある特定のワイヤレスネットワーク（例えば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分化する。各サブキャリアはデータで変調され得る。一般に、変調シンボルは、ＯＦＤＭに関して周波数領域内で、ＳＣ−ＦＤＭに関して時間領域内で送られる。隣接するサブキャリア間の間隔は固定され得るもので、サブキャリアの総数（Ｋ）はシステム帯域幅に依存し得る。例えば、サブキャリアの間隔は１５ｋＨｚであり得、（「リソースブロック」と呼ばれる）最小リソース割振りは、１２個のサブキャリア（または１８０ｋＨｚ）であり得る。従って、公称ＦＦＴサイズは、１．２５、２．５、５、１０、または２０メガヘルツ（ＭＨｚ）のシステム帯域幅に対して、それぞれ１２８、２５６、５１２、１０２４、または２０４８に等しいものであり得る。システム帯域幅はまた、サブバンドに区分化され得る。例えば、サブバンドは１．０８ＭＨｚ（例えば、６つのリソースブロック）をカバーでき、１．２５、２．５、５、１０、または２０ＭＨｚのシステム帯域幅に対して、それぞれ１、２、４、８、または１６個のサブバンドが存在し得る。
【００３０】
[0038]  本明細書に記載された例の態様はＬＴＥ技術に関連付けられてよいが、本開示の態様はＮＲなどの他のワイヤレス通信システムに適用可能であり得る。ＮＲはアップリンクおよびダウンリンク上でＣＰを有するＯＦＤＭを利用し、時分割複信（ＴＤＤ）を使用する半二重動作向けのサポートを含み得る。１００ＭＨｚのシングルコンポーネントキャリア帯域幅がサポートされ得る。ＮＲリソースブロックは、０．１ｍｓの持続時間を超える７５ｋＨｚのサブキャリア帯域幅を有する１２個のサブキャリアにわたり得る。各無線フレームは、１０ｍｓの長さを有する５０個のサブフレームから構成され得る。この結果、各サブフレームは０．２ｍｓの長さを有し得る。各サブフレームは、データ送信のためのリンク方向（例えば、ＤＬまたはＵＬ）を示し得るもので、サブフレームごとのリンク方向は動的に切り替えられ得る。各サブフレームは、ＤＬ／ＵＬデータ並びにＤＬ／ＵＬ制御データを含み得る。ＮＲ用のＵＬおよびＤＬのサブフレームは、図６および図７に関して下記でより詳細に記載される通りであり得る。ビームフォーミングがサポートされ得るもので、ビーム方向が動的に構成され得る。プリコーディングを有するＭＩＭＯ送信もサポートされ得る。ＤＬにおけるＭＩＭＯ構成は、８ストリームまで、およびＵＥあたり２ストリームまでのマルチレイヤＤＬ送信を有する、８個までの送信アンテナをサポートし得る。ＵＥあたり２ストリームまでのマルチレイヤ送信がサポートされ得る。８個までのサービングセルを有する複数のセルのアグリゲーションがサポートされ得る。あるいは、ＮＲはＯＦＤＭベース以外の異なるエアインターフェースをサポートし得る。ＮＲネットワークはＣＵおよび／またはＤＵなどのエンティティを含み得る。
【００３１】
[0039]  いくつかの例では、エアインターフェースへのアクセスがスケジュールされることがあり、スケジューリングエンティティ（例えば、基地局）は、それのサービスエリアまたはセル内の一部または全てのデバイスおよび機器の間の通信用のリソースを割り振る。本開示内で、以下にさらに説明されるように、スケジューリングエンティティは、１つまたは複数の従属エンティティのためのリソースをスケジュールし、割り当て、再構成し、解放することに関与し得る。すなわち、スケジュールされた通信の場合、従属エンティティは、スケジューリングエンティティによって割り振られたリソースを利用する。基地局は、スケジューリングエンティティとして機能し得る唯一のエンティティではない。すなわち、いくつかの例では、ＵＥが、１つまたは複数の従属エンティティ（例えば、１つまたは複数の他のＵＥ）のためのリソースをスケジュールするスケジューリングエンティティとして機能し得る。この例において、ＵＥはスケジューリングエンティティとして機能しており、他のＵＥは、ワイヤレス通信のためにＵＥによってスケジュールされたリソースを利用する。ＵＥは、ピアツーピア（Ｐ２Ｐ）ネットワークおよび／またはメッシュネットワークにおいて、スケジューリングエンティティとして機能し得る。メッシュネットワークの例では、複数のＵＥが、スケジューリングエンティティとの通信に加えて、互いに、随意に(optionally)直接通信し得る。
【００３２】
[0040]  ゆえに、時間周波数リソースへのスケジュールされたアクセスを伴うもので、セルラー構成、Ｐ２Ｐ構成、およびメッシュ構成を有するワイヤレス通信ネットワークでは、スケジューリングエンティティおよび１つまたは複数の従属エンティティが、スケジュールされたリソースを利用して通信し得る。
【００３３】
[0041]  上述されたように、ＲＡＮは、１つのＣＵと複数のＤＵとを含み得る。ＮＲ  ＢＳ（例えば、ｅＮＢ、５ＧノードＢ、ノードＢ、送受信点（ＴＲＰ）、アクセスポイント（ＡＰ：access point））は、１つまたは複数のＢＳに対応し得る。ＮＲセルは、アクセスセル（ＡＣｅｌｌ：access cell）またはデータオンリーセル（ＤＣｅｌｌ：data only cell）として構成できる。例えば、ＲＡＮ（例えば、集約ユニットまたは分散ユニット）は、セルを構成できる。ＤＣｅｌｌは、キャリアアグリゲーションまたはデュアル接続性に使用されるが、初期アクセス、セル選択／再選択、またはハンドオーバに使用されないセルであり得る。場合によって、ＤＣｅｌｌは同期信号を送信しなくてもよく、場合場合によって、ＤＣｅｌｌはＳＳを送信してもよい。ＮＲ  ＢＳは、セルタイプを示すダウンリンク信号をＵＥに送信し得る。セルタイプ指示に基づいて、ＵＥはＮＲ  ＢＳと通信し得る。例えば、ＵＥは、示されたセルタイプに基づいて、セル選択、アクセス、ハンドオーバ、および／または測定を考慮するようにＮＲ  ＢＳを決定し得る。
【００３４】
[0042]  図２は、図１によって示されたワイヤレス通信システムにおいて実施され得る、分散無線アクセスネットワーク（ＲＡＮ：radio access network）２００の例示的な論理アーキテクチャを示す。５Ｇアクセスノード２０６は、アクセスノードコントローラ（ＡＮＣ）２０２を含み得る。ＡＮＣは、分散ＲＡＮ２００の集約ユニット（ＣＵ）であり得る。次世代コアネットワーク（ＮＧ−ＣＮ：next generation core network）２０４へのバックホールインターフェースはＡＮＣで終端し得る。隣接する次世代アクセスノード（ＮＧ−ＡＮ）へのバックホールインターフェースはＡＮＣで終端し得る。ＡＮＣは、（ＢＳ、ＮＲ  ＢＳ、ノードＢ、５Ｇ  ＮＢ、ＡＰ、ｇＮＢ、または何らかの他の用語で呼ばれることもある）１つまたは複数のＴＲＰ２０８を含み得る。上述されたように、ＴＲＰは「セル」と同義で使用され得る。
【００３５】
[0043]  ＴＲＰ２０８はＤＵであり得る。ＴＲＰは、１つのＡＮＣ（ＡＮＣ２０２）または２つ以上のＡＮＣ（図示せず）に接続され得る。例えば、ＲＡＮ共有、サービスとしての無線（ＲａａＳ：radio as a service）、およびサービス固有ＡＮＤ展開の場合、ＴＲＰは２つ以上のＡＮＣに接続され得る。ＴＲＰは１つまたは複数のアンテナポートを含み得る。ＴＲＰは、ＵＥにトラフィックを個別（例えば、動的選択）または一緒（例えば、ジョイント送信）にサービスするように構成され得る。
【００３６】
[0044]  ローカルアーキテクチャ２００は、フロントホール定義を示すために使用され得る。別々の展開タイプにわたってフロントホール解決策をサポートするアーキテクチャが定義され得る。例えば、アーキテクチャは、送信ネットワーク能力（例えば、帯域幅、待ち時間、および／またはジッタ）に基づき得る。
【００３７】
[0045]  アーキテクチャは、ＬＴＥと特徴および／または構成要素を共有し得る。態様によれば、次世代ＡＮ（ＮＧ−ＡＮ：next generation AN）２１０は、ＮＲとのデュアル接続性をサポートし得る。ＮＧ−ＡＮは、ＬＴＥおよびＮＲ用の共通フロントホールを共有し得る。
【００３８】
[0046]  アーキテクチャは、ＴＲＰ２０８間およびＴＲＰ２０８中の調整を可能にし得る。例えば、調整は、ＡＮＣ２０２を介してＴＲＰ内および／またはＴＲＰ間で事前設定され得る。態様によれば、ＴＲＰ間インターフェースは必要とされなくても／存在しなくてもよい。
【００３９】
[0047]  態様によれば、アーキテクチャ２００内に分割された論理機能の動的構成が存在し得る。図５を参照してより詳細に記載されるように、無線リソース制御（ＲＲＣ）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、および物理（ＰＨＹ）レイヤが、ＤＵまたはＣＵ（例えば、それぞれＴＲＰまたはＡＮＣ）に適応して配置され得る。いくつかの態様によれば、ＢＳは、集約ユニット（ＣＵ）（例えば、ＡＮＣ２０２）および／または１つもしくは複数の分散ユニット（例えば、１つもしくは複数のＴＲＰ２０８）を含み得る。
【００４０】
[0048]  図３は、本開示の態様による、分散ＲＡＮ３００の例示的な物理アーキテクチャを示す。集中型コアネットワークユニット（Ｃ−ＣＵ：centralized core network unit）３０２は、コアネットワーク機能をホストし得る。Ｃ−ＣＵは中央に展開され得る。Ｃ−ＣＵ機能は、ピーク容量を処理することを目指して、（例えば、アドバンストワイヤレスサービス（ＡＷＳ：advanced wireless service）に）オフロードされ得る。
【００４１】
[0049]  集中型ＲＡＮユニット（Ｃ−ＲＵ：centralized RAN unit）３０４は、１つまたは複数のＡＮＣ機能をホストし得る。随意に(Optionally)、Ｃ−ＲＵはローカルにコアネットワーク機能をホストし得る。Ｃ−ＲＵは分散された展開を有し得る。Ｃ−ＲＵはネットワークエッジに近接し得る。
【００４２】
[0050]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能を有するネットワークのエッジに配置され得る。
【００４３】
[0051]  図４は、本開示の態様を実施するために使用され得る、図１に示されたＢＳ１１０およびＵＥ１２０の例示的な構成要素を示す。上述されたように、ＢＳはＴＲＰを含み得る。ＢＳ１１０およびＵＥ１２０の１つまたは複数の構成要素は、本開示の態様を実践するために使用され得る。例えば、ＵＥ１２０のアンテナ４５２、Ｔｘ／Ｒｘ２２２、プロセッサ４６６、４５８、４６４、および／もしくはコントローラ／プロセッサ４８０、並びに／またはＢＳ１１０のアンテナ４３４、プロセッサ４６０、４２０、４３８、および／もしくはコントローラ／プロセッサ４４０は、本明細書に記載され、図１３を参照して示される動作を行うために使用され得る。
【００４４】
[0052]  図４は、図１のＢＳのうちの１つおよびＵＥのうちの１つであり得る、ＢＳ１１０およびＵＥ１２０の設計のブロック図を示す。制限付き関連付けシナリオの場合、基地局１１０は図１のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを備え得るもので、ＵＥ１２０はアンテナ４５２ａ〜４５２ｒを備え得る。
【００４５】
[0053]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためであり得る。データは物理ダウンリンク共有チャネル（ＰＤＳＣＨ）などのためであり得る。プロセッサ４２０は、それぞれデータシンボルと制御シンボルとを取得するために、データと制御情報とを処理（例えば、符号化およびシンボルマッピング）し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、変調器（ＭＯＤ）４３２ａ〜４３２ｔに出力シンボルストリームを提供し得る。例えば、ＴＸ  ＭＩＭＯプロセッサ４３０は、ＲＳ多重化のために、本明細書に記載されたいくつかの態様を行い得る。各変調器４３２は、出力サンプルストリームを取得するために、（例えば、ＯＦＤＭなどのための）それぞれの出力シンボルストリームを処理し得る。各変調器４３２は、ダウンリンク信号を取得するために、出力サンプルストリームをさらに処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４６】
[0054]  ＵＥ１２０において、アンテナ４５２ａ〜４５２ｒは、基地局１１０からダウンリンク信号を受信し得るもので、受信された信号をそれぞれ復調器（ＤＥＭＯＤ）４５４ａ〜４５４ｒに提供し得る。各復調器４５４は、入力サンプルを取得するために、それぞれの受信された信号を調整（例えば、フィルタ処理、増幅、ダウンコンバート、およびデジタル化）し得る。各復調器４５４は、受信シンボルを取得するために、（例えば、ＯＦＤＭなどのための）入力サンプルをさらに処理し得る。ＭＩＭＯ検出器４５６は、全ての復調器４５４ａ〜４５４ｒから受信シンボルを取得し、適用可能な場合、受信シンボルに対してＭＩＭＯ検出を行い、検出シンボルを提供し得る。例えば、ＭＩＭＯ検出器４５６は、本明細書に記載された技法を使用して送信された検出ＲＳを提供し得る。受信プロセッサ４５８は、検出シンボルを処理（例えば、復調、デインターリーブ、および復号）し、ＵＥ１２０用の復号されたデータをデータシンク４６０に提供し、復号された制御情報をコントローラ／プロセッサ４８０に提供し得る。１つまたは複数のケースによれば、ＣｏＭＰ態様は、アンテナ、並びにいくつかのＴｘ／Ｒｘ機能を、それらが分散ユニット内に存在するように提供することを含むことができる。例えば、いくつかのＴｘ／Ｒｘ処理は集約ユニット内で行うことができるが、他の処理は分散ユニットで行うことができる。例えば、図に示された１つまたは複数の態様によれば、ＢＳのｍｏｄ／ｄｅｍｏｄ４３２は分散ユニット内にあり得る。
【００４７】
[0055]  アップリンク上では、ＵＥ１２０で、送信プロセッサ４６４が、データソース４６２からの（例えば、物理アップリンク共有チャネル（ＰＵＳＣＨ）向けの）データと、コントローラ／プロセッサ４８０からの（例えば、物理アップリンク制御チャネル（ＰＵＣＣＨ）向けの）制御情報とを受信し処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコーディングされ、さらに（例えば、ＳＣ−ＦＤＭなどのために）復調器４５４ａ〜４５４ｒによって処理され、基地局１１０に送信され得る。ＢＳ１１０では、ＵＥ１２０によって送られた復号されたデータおよび制御情報を取得するために、ＵＥ１２０からのアップリンク信号が、アンテナ４３４によって受信され、復調器４３２によって処理され、適用可能な場合、ＭＩＭＯ検出器４３６によって検出され、受信プロセッサ４３８によってさらに処理され得る。受信プロセッサ４３８は、復号されたデータをデータシンク４３９に提供し、復号された制御情報をコントローラ／プロセッサ４４０に提供し得る。
【００４８】
[0056]  コントローラ／プロセッサ４４０および４８０は、それぞれ基地局１１０およびＵＥ１２０での動作を指示し得る。基地局１１０でのプロセッサ４４０並びに／または他のプロセッサおよびモジュールは、本明細書に記載された技法のためのプロセスを行うかまたは指示し得る。ＵＥ１２０でのプロセッサ４８０並びに／または他のプロセッサおよびモジュールも、本明細書に記載された技法のためのプロセスを行うかまたは指示し得る。メモリ４４２および４８２は、それぞれＢＳ１１０およびＵＥ１２０のためのデータとプログラムコードとを記憶し得る。スケジューラ４４４は、ダウンリンクおよび／またはアップリンク上のデータ送信のためにＵＥをスケジュールし得る。
【００４９】
[0057]  図５は、本開示の態様による、通信プロトコルスタックを実施するための例を示す図５００である。図示された通信プロトコルスタックは、５Ｇシステム（例えば、アップリンクベースのモビリティをサポートするシステム）内で動作するデバイスによって実施され得る。図５００は、無線リソース制御（ＲＲＣ）レイヤ５１０と、パケットデータコンバージェンスプロトコル（ＰＤＣＰ）レイヤ５１５と、無線リンク制御（ＲＬＣ）レイヤ５２０と、媒体アクセス制御（ＭＡＣ）レイヤ５２５と、物理（ＰＨＹ）レイヤ５３０とを含む通信プロトコルスタックを示す。様々な例では、プロトコルスタックのレイヤが、ソフトウェアの別々のモジュール、プロセッサもしくはＡＳＩＣの部分、通信リンクによって接続されたコロケートされていないデバイスの部分、またはそれらの様々な組合せとして実施され得る。例えば、ネットワークアクセスデバイス（例えば、ＡＮ、ＣＵ、および／もしくはＤＵ）またはＵＥ用のプロトコルスタックにおいて、コロケートされた実施形態およびコロケートされていない実施形態が使用され得る。
【００５０】
[0058]  第１のオプション５０５−ａはプロトコルスタックの分割実施形態を示し、このプロトコルスタックの分割実施形態では、プロトコルスタックの実施が、集中型ネットワークアクセスデバイス（例えば、図２のＡＮＣ２０２）と、分散ネットワークアクセスデバイス（例えば、図２のＤＵ２０８）との間で分割(split)される。第１のオプション５０５−ａでは、ＲＲＣレイヤ５１０およびＰＤＣＰレイヤ５１５が集約ユニットによって実施され得るもので、ＲＬＣレイヤ５２０、ＭＡＣレイヤ５２５、およびＰＨＹレイヤ５３０がＤＵによって実施され得る。様々な例において、ＣＵおよびＤＵはコロケートされてもよく、コロケートされなくてもよい。第１のオプション５０５−ａは、マクロセル、マイクロセル、またはピコセルの展開において有用なことがある。
【００５１】
[0059]  第２のオプション５０５−ｂはプロトコルスタックの統合実施形態を示し、この実施形態では、プロトコルスタックが、単一のネットワークアクセスデバイス（例えば、アクセスノード（ＡＮ）、新無線基地局（ＮＲ  ＢＳ）、新無線ノードＢ（ＮＲ  ＮＢ）、ネットワークノード（ＮＮ）など）において実施される。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０が、各々ＡＮによって実施され得る。第２のオプション５０５−ｂは、フェムトセルの展開において有用であり得る。
【００５２】
[0060]  ネットワークアクセスデバイスがプロトコルスタックの一部を実施するか、または全てを実施するかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実施し得る。
【００５３】
[0061]  図６はＤＬ中心サブフレームの一例を示す図６００である。ＤＬ中心サブフレームは制御部分６０２を含み得る。制御部分６０２は、ＤＬ中心サブフレームの初期部分または開始部分に存在し得る。制御部分６０２は、ＤＬ中心サブフレームの様々な部分に対応する様々なスケジューリング情報および／または制御情報を含み得る。いくつかの構成において、制御部分６０２は、図６に示されたように、物理ＤＬ制御チャネル（ＰＤＣＣＨ）であり得る。ＤＬ中心サブフレームはＤＬデータ部分６０４も含み得る。ＤＬデータ部分６０４は、ＤＬ中心サブフレームのペイロードと呼ばれる場合がある。ＤＬデータ部分６０４は、スケジューリングエンティティ（例えば、ＵＥまたはＢＳ）から従属エンティティ（例えば、ＵＥ）にＤＬデータを通信するために利用される通信リソースを含み得る。いくつかの構成において、ＤＬデータ部分６０４は、物理ＤＬ共有チャネル（ＰＤＳＣＨ）であり得る。
【００５４】
[0062]  ＤＬ中心サブフレームは共通ＵＬ部分６０６も含み得る。共通ＵＬ部分６０６は、ＵＬバースト、共通ＵＬバースト、および／または様々な他の適切な用語で呼ばれることがある。共通ＵＬ部分６０６は、ＤＬ中心サブフレームの様々な他の部分に対応するフィードバック情報を含み得る。例えば、共通ＵＬ部分６０６は、制御部分６０２に対応するフィードバック情報を含み得る。フィードバック情報の非限定的な例には、ＡＣＫ信号、ＮＡＣＫ信号、ＨＡＲＱインジケータ、および／または様々な他の適切なタイプの情報が含まれ得る。共通ＵＬ部分６０６は、ランダムアクセスチャネル（ＲＡＣＨ）手順に関する情報、スケジューリング要求（ＳＲ）、および様々な他の適切なタイプの情報などの、追加または代替の情報を含み得る。図６に示されたように、ＤＬデータ部分６０４の終端は、共通ＵＬ部分６０６の開始から時間的に分離され得る。この時間分離は、ギャップ、ガード期間、ガード間隔、および／または様々な他の適切な用語で呼ばれることがある。この分離は、ＤＬ通信（例えば、従属エンティティ（例えば、ＵＥ）による受信動作）からＵＬ通信（例えば、従属エンティティ（例えば、ＵＥ）による送信）への切替えのための時間を提供する。上記はＤＬ中心サブフレームの１つの例にすぎず、必ずしも本明細書に記載された態様から逸脱することなく、同様の特徴を有する代替の構造が存在してよいことを当業者は理解されよう。
【００５５】
[0063]  図７はＵＬ中心サブフレームの一例を示す図７００である。ＵＬ中心サブフレームは制御部分７０２を含み得る。制御部分７０２は、ＵＬ中心サブフレームの初期部分または開始部分に存在し得る。図７の制御部分７０２は、図６を参照して上述された制御部分と同様であり得る。ＵＬ中心サブフレームはＵＬデータ部分７０４も含み得る。ＵＬデータ部分７０４は、ＵＬ中心サブフレームのペイロードと呼ばれることがある。ＵＬ部分は、従属エンティティ（例えば、ＵＥ）からスケジューリングエンティティ（例えば、ＵＥまたはＢＳ）にＵＬデータを通信するために利用される通信リソースを指し得る。いくつかの構成において、制御部分７０２は、物理ＤＬ制御チャネル（ＰＤＣＣＨ）であり得る。
【００５６】
[0064]  図７に示されたように、制御部分７０２の終端は、ＵＬデータ部分７０４の開始から時間的に分離され得る。この時間分離は、ギャップ、ガード期間、ガード間隔、および／または様々な他の適切な用語で呼ばれることがある。この分離は、ＤＬ通信（例えば、スケジューリングエンティティによる受信動作）からＵＬ通信（例えば、スケジューリングエンティティによる送信）への切替えのための時間を提供する。ＵＬ中心サブフレームは共通ＵＬ部分７０６も含み得る。図７の共通ＵＬ７０６は、図７を参照して上述された共通ＵＬ７０６と同様であり得る。共通ＵＬ部分７０６は、チャネル品質インジケータ（ＣＱＩ）に関する情報、サウンディング基準信号（ＳＲＳ）、および様々な他の適切なタイプの情報を追加または代替包含し得る。上記はＵＬ中心サブフレームの１つの例にすぎず、必ずしも本明細書に記載された態様から逸脱することなく、同様の特徴を有する代替の構造が存在してよいことを当業者は理解されよう。
【００５７】
[0065]  いくつかの状況では、２つ以上の従属エンティティ（例えば、ＵＥ）が、サイドリンク信号を使用して互いに通信し得る。そのようなサイドリンク通信の実際の用途には、公共安全、近接サービス、ＵＥネットワーク間中継、車両間（Ｖ２Ｖ）通信、全てのモノのインターネット（ＩｏＥ）通信、ＩｏＴ通信、ミッションクリティカルメッシュ、および／または様々な他の適切な用途が含まれ得る。一般に、サイドリンク信号は、スケジューリングエンティティがスケジューリングおよび／または制御の目的で利用され得る場合でも、スケジューリングエンティティ（例えば、ＵＥまたはＢＳ）を介する通信を中継することなく、１つの従属エンティティ（例えば、ＵＥ１）から別の従属エンティティ（例えば、ＵＥ２）に通信される信号を指し得る。いくつかの例において、サイドリンク信号は、（通常、無認可スペクトルを使用するワイヤレスローカルエリアネットワークとは異なる）認可スペクトルを使用して通信され得る。
【００５８】
[0066]  ＵＥは、リソースの専用セット（例えば、無線リソース制御（ＲＲＣ）専用状態など）を使用してパイロットを送信することに関連付けられた構成、またはリソースの共通セット（例えば、ＲＲＣ共通状態など）を使用してパイロットを送信することに関連付けられた構成を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮもしくはＤＵなどの１つもしくは複数のネットワークアクセスデバイス、またはそれらの部分によって受信され得る。各受信ネットワークアクセスデバイスは、リソースの共通セット上で送信されたパイロット信号を受信および測定するとともに、また、ネットワークアクセスデバイスがＵＥのためのネットワークアクセスデバイスの監視セットのメンバであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスがパイロット信号の測定値を送信するＣＵは、ＵＥのためのサービングセルを識別するために、またはＵＥのうちの１つもしくは複数のためのサービングセルの変更を開始するために測定値を使用し得る。
【００５９】
[0067]  ＬＴＥでは、ネットワークが、例えば、１０２４スロットの動作を含み得る。この規格は、これらスロットのうちの５１２個までが潜在的にページングスロットとして構成されることを可能にし得る。しかしながら、現在ほとんどの事業者は、ページに割り当てられた１０２４個のうちの多くとも１２８スロットを使用している。これは、部分的に、現在そのようなネットワーク内でただ１つのＰ−ＲＮＴＩ値がサポートされるからであり得る。これは、同じスロットを有する全てのＵＥがページを読むために目覚め、ＵＥに向けられたページが存在するかどうかを調べるために解析することを包含(imply)し得る。これは、ＵＥでの過剰な電力消費および処理を生じる可能性がある。
【００６０】
統合アクセス制御の例
[0068]  本開示は、一般に通信システムに関し、より詳細には、アクセス制御を行うためにユーザ機器（ＵＥ）を構成するための方法および装置に関する。この構成は、ＵＥが別々の接続状態にある間にネットワークにアクセスすることを試みるときにＵＥが使用するための別々のパラメータと構成とを含み得る。
【００６１】
[0069]  ＮＲの場合、システムへのアクセスおよびデータ送信にＵＥが使用するための統合アクセス制御メカニズムが望ましい。さらに、そのような統合アクセス制御メカニズムが全てのＵＥ接続状態（例えば、接続状態、アイドル状態、および非アクティブ状態）に適用可能であることが望ましい。統合アクセス制御を有することに対する１つの動機付けは、断片化された解決策を回避し、別々のアプリケーションおよび接続状態に対するＵＥの振る舞いに一貫性をもたせることである。
【００６２】
[0070]  現在のシステムでは、アクセス制御メカニズムがいくつかの問題を提起する。例えば、ＵＥが比較的高い優先度を有する第１のアプリケーションにアクセスし、続いて、そうでない場合規制されるはずの低い優先度のデータを送るためにこの接続を使用することが可能である。
【００６３】
[0071]  従って、（例えば、ＬＴＥにおいて以前定義されたものなどの）様々な使用ケースおよびシナリオに対処できるＮＲ用の１つの統合アクセス規制メカニズムを指定することが望ましい。将来の使用ケースおよびシナリオに対処するために、そのような統合アクセス規制メカニズムが前方互換であること、およびメカニズムがＮＲにおける全ての無線リソース制御（ＲＲＣ）状態に適用可能であることが望ましい。
【００６４】
[0072]  統合アクセス規制メカニズム向けの１つの解決策は、各アクセス試行がアクセスカテゴリにマッピングされるメカニズムを有することである。例えば、そのようなマッピングは、アクセスに関係する以下のうちの１つまたは複数に基づき得る。
−アクセスをトリガするアプリケーションまたはアプリケーションのタイプ
−関係するサービス（例えば、マルチメディアテレフォニー（ＭＭＴｅｌ）ボイス、ＭＭＴＥＬビデオ、ショートメッセージサービス（ＳＭＳ））
−コールタイプ（例えば、緊急アクセス、高優先度アクセス）
−デバイス／サブスクリプションインジケータ（例えば、低優先度ＵＥ）
−シグナリング手順（例えば、ＮＡＳ手順、ＲＲＣ手順）
−ＱｏＳ特性
本明細書で使用される（例えば、アプリケーションによる）アクセス試行という用語は、一般に、接続を確立するか、または既存の接続先にアクセスする任意の試みを指す。
【００６５】
[0073]  場合によって、ＲＡＮによってブロードキャストされるアクセス規制パラメータは、「アクセスカテゴリ」固有（であるが、アプリケーション、サービス、コールタイプ…に不可知論的）であり得る。ＵＥは、次いで、その固有のアクセスカテゴリのみを考慮に入れて、その後のアクセス規制チェックを行い得る。このようにして、アクセス規制チェックおよび対応する規制パラメータが統合されていると見なされ得る。
【００６６】
[0074]  そのような解決策は、アイドルモードのＵＥに役立ちし得る。ＵＥでのＮＡＳが、アイドルモードから接続モードに転移するためにアクセス層（ＡＳ）に接続を要求するとき、ＡＳは、要求に関連付けられたアクセスカテゴリ（ＡＣ）をチェックし、このカテゴリに対するアクセスが規制されている場合、アクセスを進めないことがある。
【００６７】
[0075]  しかしながら、非アクティブモードおよび接続モードなどの、データアプリケーションがＲＲＣまたはＮＡＳの状態遷移なしにデータを送ることができる他の状態の場合、ＵＥモデムは、アクセスが規制されているカテゴリにデータが関連付けられているときにこのデータを送らないようにアプリケーションを防止するために、高レベルオペレーティングシステム（ＨＬＯＳ）と対話しなければならない。この手法に対する１つの課題は、ＵＥが接続状態に移動すると、アクセスカテゴリマッピングに個々のアプリケーションを適用することが難しいことである。
【００６８】
[0076]  特に、ＵＥがアイドルモードから遷移するとき、またはＵＥが接続モードにあるとき、そのようなアクセスカテゴリが提供されることができるが、ある特定のアクセスカテゴリに対してアクセスが接続モードにあることが可能なままである持続時間は、アプリケーションを開始するトラフィック使用量が変化する可能性がある場合（または可能性があるので）、決定することが困難である。例えば、ＭＭＴｅｌボイスコールの場合、個々のコールの開始および終了を決定することが可能であり、ユーザの期待は、ネットワークへのアクセス許可が少なくともコールの持続時間の間有効であることである。いくつかの文書を読むか、またはインターネット上の小さいビデオクリップを視るために、その日の間加入者によって散発的に使用されるウェブブラウザのようなアプリケーションの場合、許可の寿命をどのように制限するかはあまり明確でない。
【００６９】
[0077]  「アプリケーションがアクセスをトリガする」イベントの場合、ＵＥが接続モードにあるときのアクセスカテゴリへのマッピングは、ＵＥのＨＬＯＳ（高レベルオペレーティングシステム）からの支援がないと可能でないことがある。この理由は、ＵＥが接続モードにあるとき、ユーザデータがＮＡＳの関与なしにアプリケーションレイヤからＰＤＣＰに移動するので、ＮＡＳは、元の要求者（例えば、アイドルモードから接続モードへの遷移をトリガしたアプリケーションまたはサービス）以外の１つまたは複数のアプリケーションまたはサービスが、接続を偶然利用するかどうかを知らないからである。同様に、「アプリケーションがアクセスをトリガする」イベントの場合、ＵＥがアイドルモードにあるときのアクセスカテゴリへのマッピングは、ＵＥのＯＳ（オペレーティングシステム）の支援を必要とする。これは、特に、インターネットへのＰＤＮ接続に適用される。
【００７０】
[0078]  しかしながら、本開示の態様は、別々の接続状態において接続先にアクセスすることを試みるときのアクセス制御に別々の規則を適用するようにユーザ機器（ＵＥ）を構成することにより、これに対処し得る。
【００７１】
[0079]  図８は、本開示の態様による、アクセス制御を行うためのユーザ機器（ＵＥ）によるワイヤレス通信のための動作８００を示す。
【００７２】
[0080]  動作８００は、８０２で、アクセス規制パラメータを取得することによって始まるもので、アクセス規制パラメータは、ＵＥがアクセス規制チェックを行うことを別々の状態において適用するために、アクセスカテゴリごとに別々のアクセス試行要因を含む。８０４で、ＵＥは、アクセスカテゴリへのアクセス試行のマッピングに基づくとともに、ＵＥの現在の状態のためのアクセス試行要因に依存して、アクセス規制チェックを行う。
【００７３】
[0081]  図９は、本開示の態様による、基地局（例えば、ｇＮＢまたは他のネットワークエンティティ）によるワイヤレス通信のための動作９００を示す。例えば、動作９００は、上述された図８の動作８００によるアクセス制御を行うようにＵＥを構成するために、ｇＮＢによって行われ得る。
【００７４】
[0082]  動作９００は、９０２で、アクセス規制パラメータを決定することによって始まるもので、アクセス規制パラメータは、少なくとも１つのユーザ機器（ＵＥ）がアクセス規制チェックを行うことを別々の状態において適用するために、アクセスカテゴリごとに別々のアクセス試行要因を含む。８０４で、基地局はアクセス規制パラメータをＵＥに通知する。
【００７５】
[0083]  本明細書で提案されたメカニズムは、接続モードの場合アプリケーションレベルの粒度を使用することが困難である場合に異なる処理を提供することによりこの課題に対処することを助け得る。手法は、例えば、ネットワークによるブロードキャストおよび／または（専用シグナリングを介する）構成を介して、ＵＥがアクセスカテゴリに対する規制制限を知ることを想定し得る。場合によって、この情報を含むメッセージのサイズは、ブロードキャスト配信の課題を提起することがあり、専用シグナリングが好ましい場合があり、並びに／またはそのような情報が複数の送信もしくはメッセージに分割されることがある。場合によっては、専用シグナリングを介して通知されたアクセス規制パラメータに対するブロードキャストされたアクセス規制パラメータの優先度の指示が提供され得る。
【００７６】
[0084]  アクセス試行とアクセスカテゴリとの間のマッピングは、まだ上述されたように行われ得る。しかしながら、ＵＥが接続モードに入ると、アクセス制御を行うための新しい規則が提供される。言い換えれば、ＵＥは、別々のＲＲＣモードにおいて、アクセス試行要因の別々のサブセットを適用し得る。
【００７７】
[0085]  一例として、ＵＥがアイドルモードまたは非アクティブモードから接続モードに遷移している場合、ＮＡＳは、（ＬＴＥにおけるＴＦＴフィルタもしくはアプリケーション識別子などの）アプリケーションタイプ、および／または上述された他の特性に基づいて、アクセスカテゴリを提供する。
【００７８】
[0086]  ＵＥは、接続モードにおいて異なるマッピングを適用し得る。例えば、接続モードにおいて、データトラフィックの場合、マッピングはベアラＩＤおよび／またはＱＦＩ（ＱｏＳフローＩＤ）および／または５ＱＩ（５Ｇ  ＱｏＳインジケータ）に基づき得る。
【００７９】
[0087]  場合によって、ＵＥは、ＱｏＳフローおよび／またはベアラごとにアクセスカテゴリを導出し、必要な規制を適用し得る。これは、例えば、新しいベアラ／ＱｏＳフローが追加されたとき、および／または新しいベアラ／ＱｏＳフローが始まり、規制が更新されたときに行われ得る。
【００８０】
[0088]  接続モードでは、シグナリングトラフィックについて、データ用のマッピングも使用できる。しかしながら、別々のシグナリング手順のための追加のマッピングも構成され得る。例えば、別々のＲＲＣ手順が、別々の優先度（例えば、ＮＡＳのシグナリング対測定など）を有し得る。
【００８１】
[0089]  場合によって、接続モードにある間、ＵＥはまた、非アクティブモードおよびアイドルモードにおいて使用されるべきアプリケーションレベルのマッピングで構成され得る。このような場合、ＵＥは、接続モードにある間、マッピング用の構成情報を取得する。ＵＥはこの情報を記憶し得るが、ネットワークによって再構成されるまでそれを適用しない（これらがネットワークによってブロードキャストされることも可能である）。
【００８２】
[0090]  場合によっては、ＵＥが、（例えば、タイマに基づいて）固定された持続時間の間、アクセスパラメータアクセス規制パラメータを維持する。代替として、ＵＥは、再構成されるまで、または別のセルに移動するまで、アクセスパラメータを維持し得る。場合によっては、例えば、そのような情報がＲＲＣシグナリングを介して通知されたとき、ＵＥが、トラッキングエリア更新（ＴＡＵ）を行うまでマッピングを維持し得る。
【００８３】
[0091]  ブロードキャストされる「アクセス規制パラメータ」は、カテゴリごとの規制情報とカテゴリへのアクセス試行のマッピングの両方を含み得る。場合によって、ＮＷは、ブロードキャストされるパラメータがより高い優先度を有するか否かを示すこともあり得る。これはまた、タイマを介して、構成された（専用シグナリング）パラメータを解放することに加えて、使用できる。
【００８４】
[0092]  上述されたように、場合によって、アクセス情報は複数の送信／メッセージに分割され得る。例えば、５Ｇ／ＮＲにおいて常にブロードキャストされる最小ＳＩは限定された空間を有するので、パラメータのブロードキャストは２ステップであり得る。例えば、最小ＳＩにおいて、ＮＷは、追加パラメータ（アクセスマッピングからカテゴリマッピングなど）の存在を示し得るもので、ＵＥは、例えば、それらを送るかブロードキャストするようにＵＥがＮＷに要求するオンデマンドであることができる、別のＳＩＢを読み得る。
【００８５】
[0093]  本明細書で開示された方法は、記載された方法を実現するための１つまたは複数のステップまたはアクションを備える。方法のステップおよび／またはアクションは、特許請求の範囲から逸脱することなく、互いに入れ替えられ得る。言い換えれば、ステップまたはアクションの特定の順序が指定されていない限り、特定のステップおよび／またはアクションの順序および／または使用は、特許請求の範囲から逸脱することなく修正され得る。
【００８６】
[0094]  本明細書で使用される、項目のリスト「のうちの少なくとも１つ」を指す句は、単一のメンバを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに複数の同じ要素を用いた任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序付け）を包含するものとする。特許請求の範囲を含めて、本明細書で使用される「および／または」という用語は、２つ以上の項目のリストにおいて使用されるとき、リストされた項目のうちのいずれか１つが単独で採用できること、またはリストされた項目のうちの２つ以上の任意の組合せが採用できることを意味する。例えば、組成が構成要素Ａ、Ｂ、および／またはＣを含んでいるものとして記載される場合、その組成は、Ａのみ、Ｂのみ、Ｃのみ、ＡとＢの組合せ、ＡとＣの組合せ、ＢとＣの組合せ、またはＡとＢとＣの組合せを含むことができる。
【００８７】
[0095]  本明細書で使用される「決定すること」という用語は、多種多様なアクションを包含する。例えば、「決定すること」は、計算すること、算出すること、処理すること、導出すること、調査すること、探索すること（例えば、テーブル、データベース、または別のデータ構造内で探索すること）、確認することなどを含み得る。また、「決定すること」は、受け取ること（例えば、情報を受け取ること）、アクセスすること（例えば、メモリ内のデータにアクセスすること）などを含み得る。また、「決定すること」は、解決すること、選択すること、選ぶこと、確立することなどを含み得る。
【００８８】
[0096]  以上の説明は、当業者が本明細書に記載された様々な態様を実践することを可能にするために提供される。これら態様に対する様々な修正は当業者には容易に明らかであり、本明細書において規定された一般原理は他の態様に適用され得る。従って、特許請求の範囲は、本明細書に示された態様に限定されるものではなく、特許請求の文言に矛盾しない全適用範囲を与えられるべきであり、単数形の要素への言及は、そのように明記されていない限り、「唯一無二」を意味するものではなく、「１つまたは複数」を意味するものである。例えば、本出願および添付の特許請求の範囲において使用される冠詞「ａ」および「ａｎ」は、別段に規定されていない限り、または単数形を対象とすることが文脈から明らかでない限り、一般に、「１つまたは複数」を意味するものと解釈されるべきである。別段に明記されていない限り、「いくつか」という用語は１つまたは複数を指す。さらに、「または」という用語は、排他的な「または」でなく、包括的な「または」を意味するものである。すなわち、別段に規定されていない限り、または文脈から明らかでない限り、例えば、「ＸはＡまたはＢを採用する」という句は、自然包括的並べ替えのいずれかを意味するものである。すなわち、「ＸはＡまたはＢを採用する」という句は、以下のインスタンスのうちのいずれかによって満足される：ＸはＡを採用する、ＸはＢを採用する、またはＸはＡとＢの両方を採用する。当業者に知られている、または後に知られることになる、本開示全体にわたって記載された様々な態様の要素の全ての構造的および機能的な等価物は、参照により本明細書に明確に組み込まれ、特許請求の範囲に包含されるものである。さらに、本明細書で開示されたものは、そうした開示が特許請求の範囲に明記されているかどうかにかかわらず、公に供するものではない。特許請求の範囲の要素は、その要素が「ための手段」という句を使用して明記されていない限り、または方法クレームの場合、その要素が「ためのステップ」という句を使用して記載されていない限り、米国特許法第１１２条第６段落の規定の下で解釈されるべきではない。
【００８９】
[0097]  上述された方法の様々な動作は、対応する機能を行うことが可能な任意の適切な手段によって行われ得る。それらの手段は、限定はしないが、回路、特定用途向け集積回路（ＡＳＩＣ）、またはプロセッサを含む、様々なハードウェアおよび／またはソフトウェアの構成要素および／またはモジュールを含み得る。一般に、図に示された動作が存在する場合、それらの動作は、同様の番号を有する対応する同等のミーンズプラスファンクション構成要素を有し得る。
【００９０】
[0098]  本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書に記載された機能を行うように設計されたそれらの任意の組合せで実施または行われ得る。汎用プロセッサはマイクロプロセッサであってよいが、代替として、プロセッサは、任意の市販のプロセッサ、コントローラ、マイクロコントローラ、または状態マシンであり得る。プロセッサはまた、コンピューティングデバイスの組合せ、例えば、ＤＳＰとマイクロプロセッサの組合せ、複数のマイクロプロセッサ、ＤＳＰコアと連携する１つもしくは複数のマイクロプロセッサ、または任意の他のそのような構成として実施され得る。
【００９１】
[0099]  ハードウェアで実施される場合、例示的なハードウェア構成は、ワイヤレスノード内の処理システムを備え得る。処理システムは、バスアーキテクチャで実施され得る。バスは、処理システムの特定の用途および全体的な設計制約に依存して、任意の数の相互接続するバスおよびブリッジを含み得る。バスは、プロセッサと、機械可読媒体と、バスインターフェースとを含む様々な回路を互いにリンクし得る。バスインターフェースは、ネットワークアダプタを、とりわけ、バスを介して処理システムに接続するために使用され得る。ネットワークアダプタは、ＰＨＹレイヤの信号処理機能を実施するために使用され得る。ユーザ端末１２０（図１参照）の場合、ユーザインターフェース（例えば、キーパッド、ディスプレイ、マウス、ジョイスティックなど）もバスに接続され得る。バスはまた、タイミングソース、周辺機器、電圧調整器、電力管理回路などの様々な他の回路をリンクできるが、それらは当技術分野でよく知られており、従ってこれ以上記載されない。プロセッサは、１つまたは複数の汎用プロセッサおよび／または専用プロセッサで実施され得る。例には、マイクロプロセッサ、マイクロコントローラ、ＤＳＰプロセッサ、およびソフトウェアを実行できる他の回路が含まれる。当業者は、特定の用途およびシステム全体に課される全体的な設計制約に依存して、処理システムのための記載された機能をどのように最も良く実施するかを認識されよう。
【００９２】
[0100]  ソフトウェアで実施される場合、機能は、１つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味するように広く解釈されるべきである。コンピュータ可読媒体は、ある場所から別の場所へのコンピュータプログラムの転送を容易にする任意の媒体を含む、コンピュータ記憶媒体と通信媒体の両方を含む。プロセッサは、バス、および機械可読記憶媒体に記憶されたソフトウェアモジュールの実行を含む一般的な処理を管理することを担当し得る。コンピュータ可読記憶媒体は、プロセッサがこの記憶媒体から情報を読み取ることができ、この記憶媒体に情報を書き込むことができるように、プロセッサに結合され得る。代替として、記憶媒体はプロセッサと一体であり得る。例として、機械可読媒体は、全てがバスインターフェースを介してプロセッサによってアクセスされ得る、伝送線路、データによって変調された搬送波、および／またはワイヤレスノードとは別個のその上に記憶された命令を有するコンピュータ可読記憶媒体を含み得る。代替または追加として、機械可読媒体またはその任意の部分は、キャッシュおよび／または汎用レジスタファイルがそうであり得るように、プロセッサに統合され得る。機械可読記憶媒体の例には、例として、ＲＡＭ（ランダムアクセスメモリ）、フラッシュメモリ、相変化メモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気的消去可能プログラマブル読取り専用メモリ）、レジスタ、磁気ディスク、光ディスク、ハードドライブ、もしくは任意の他の適切な記憶媒体、またはそれらの任意の組合せが含まれ得る。機械可読媒体はコンピュータプログラム製品内で具現化され得る。
【００９３】
[0101]  ソフトウェアモジュールは、単一の命令、または多くの命令を備え得るもので、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されると、様々な機能を処理システムに行わせる命令を含む。ソフトウェアモジュールは、送信モジュールと受信モジュールとを含み得る。各ソフトウェアモジュールは、単一のストレージデバイス内に常駐するか、または複数のストレージデバイスにわたって分散され得る。例として、トリガリングイベントが発生したとき、ソフトウェアモジュールはハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及するとき、このような機能は、そのソフトウェアモジュールからの命令を実行するときにプロセッサによって実施されることが理解されよう。
【００９４】
[0102]  また、任意の接続がコンピュータ可読媒体と適切に呼ばれる。例えば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。従って、いくつかの態様では、コンピュータ可読媒体が、非一時的コンピュータ可読媒体（例えば、有形媒体）を備え得る。さらに、他の態様では、コンピュータ可読媒体が、一時的コンピュータ可読媒体（例えば、信号）を備え得る。上記の組合せもコンピュータ可読媒体の範囲内に含まれるべきである。
【００９５】
[0103]  従って、いくつかの態様は、本明細書で提示された動作を行うためのコンピュータプログラム製品を備え得る。例えば、このようなコンピュータプログラム製品は、本明細書に記載された動作を行うために１つまたは複数のプロセッサによって実行可能な命令を記憶した（および／または符号化した）コンピュータ可読媒体を備え得る。例えば、本明細書に記載され、添付の図に示された動作を行うための命令。
【００９６】
[0104]  さらに、本明細書に記載された方法および技法を行うためのモジュールおよび／または他の適切な手段は、適用可能な場合、ユーザ端末および／または基地局によってダウンロードされ、および／またはさもなければ取得されることができることを諒解されたい。例えば、そのようなデバイスは、本明細書に記載された方法を行うための手段の転送を容易にするために、サーバに結合されることができる。代替として、本明細書に記載された様々な方法は、記憶手段（例えば、ＲＡＭ、ＲＯＭ、コンパクトディスク（ＣＤ）またはフロッピーディスクなどの物理記憶媒体）を介して提供されることができ、この記憶手段をデバイスに結合するかまたは提供することに伴って、ユーザ端末および／または基地局が様々な方法を取得できるようになる。さらに、本明細書に記載された方法および技法をデバイスに提供するための任意の他の適切な技法が利用されることができる。
【００９７】
[0105]  特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
【図１】
2020519135.tif 000003
【図２】
2020519135.tif 000004
【図３】
2020519135.tif 000005
【図４】
2020519135.tif 000006
【図５】
2020519135.tif 000007
【図６】
2020519135.tif 000008
【図７】
2020519135.tif 000009
【図８】
2020519135.tif 000010
【図９】
2020519135.tif 000011
【国際調査報告】
2020519135.tif 000012
2020519135.tif 000013
2020519135.tif 000014